(57)【特許請求の範囲】
【請求項１】
連続撮影した静止画像の組に基づいて動画ファイルを生成可能なデジタルカメラにおいて、
撮影によって生成される画像ファイルを記録する記録手段と、
前記記録手段の残容量を撮影可能枚数に換算して表示する撮影可能枚数表示手段と、
前記連続撮影の際に、連続撮影した静止画像に基づいて静止画ファイルを各々生成するとともに、前記静止画像の組に基づいて動画ファイルをあわせて生成するファイル生成手段と、
生成される動画ファイルの容量を考慮して前記撮影可能枚数表示手段に撮影可能枚数を表示するための表示制御手段と、
を備えることを特徴とするデジタルカメラ。
【請求項２】
連続撮影した静止画像の組に基づいて動画ファイルを生成可能なデジタルカメラにおいて、
連続撮影によって得られた静止画像の組を一時的に記憶する一時記憶手段と、
前記一時記憶手段に記憶された静止画像の組に基づいて静止画ファイルおよび動画ファイルを生成するファイル生成手段と、
ユーザーの操作に基づいて、前記一時記憶手段に記憶された静止画像の組のうちの少なくとも一つの静止画像に対して削除を指示する削除指示手段と、
を備え、
前記ファイル生成手段が、
前記静止画像の組のうち前記削除の指示を受けた静止画像は、前記静止画ファイルおよび前記動画ファイルの生成には使用しないことを特徴とするデジタルカメラ。
【請求項３】
連続撮影した静止画像の組に基づいて動画ファイルを生成可能なデジタルカメラにおいて、
連続撮影によって得られた静止画像の組を一時的に記憶する一時記憶手段と、
前記静止画像の組に基づいて静止画ファイルと動画ファイルとを生成可能なファイル生成手段と、
前記静止画像の組に含まれる少なくとも一つの静止画像に対応した静止画表示を撮影モード下で撮影結果として表示する結果表示手段と、
を備えることを特徴とするデジタルカメラ。
【請求項４】
連続撮影した静止画像の組に基づいて動画ファイルを生成可能なデジタルカメラにおいて、
事前に決定されたタイミングでの連続撮影によって複数の静止画像を順次に取得する取得手段と、
前記複数の静止画像に基づいて静止画ファイルおよび動画ファイルを生成するファイル生成手段と、
前記連続撮影中に前記ファイル生成手段が新規な静止画ファイルを生成した後に、前記動画ファイルを構成する静止画像群に前記新規な静止画像を追加して前記動画ファイルを更新するファイル更新手段と、
を備えることを特徴とするデジタルカメラ。
【請求項５】
連続撮影した静止画像の組に基づいて動画ファイルを生成可能なデジタルカメラにおいて、
連続撮影によって複数の静止画像を順次に取得する取得手段と、
連続撮影期間内に前記複数の静止画像に基づいて静止画ファイルおよび動画ファイルを生成可能なファイル生成手段と、
前記連続撮影における画像取得タイミングを避けて、前記動画ファイル生成に関する処理を前記ファイル生成手段に行わせる制御手段と、
を備えることを特徴とするデジタルカメラ。
【発明の詳細な説明】
【０００１】
【発明の属する技術分野】
本発明は、デジタルカメラにおいて連続撮影した静止画像に基づいて静止画ファイルおよび動画ファイルを生成する技術に関する。
【０００２】
【従来の技術】
従来、デジタルカメラにおいて、静止画像および動画を撮影することができることが知られている。例えば、特開平７−２６４５３０号公報および特開２０００−９２４３７号公報においては、連続撮影した静止画像に基づいて動画をファイルを生成するデジタルカメラが示されているが、静止画像と動画のいずれか一方のみしか記録することができず、静止画像のみを撮影した場面に関しては動画を取得することができない。
【０００３】
また、特開２０００−３５２７５９号公報においては、動画撮影中に、特定のシーンに対してユーザーの操作に対応して静止画像を取得するデジタルカメラが示されているが、動画撮影中に静止画像を連続して撮影できる構成にはなっておらず、シャッターチャンスを逃した場合には、低解像度の動画から最適な画像を選択するという妥協を強いられる。
【０００４】
これに対して、静止画像と動画とを同時に取得するには、静止画像を連続して撮影し、連続撮影した静止画像に基づいて静止画ファイルと動画ファイルとを生成するようにすれば良い。
【０００５】
【発明が解決しようとする課題】
しかしながら、この場合には、多量の静止画ファイルと動画ファイルとを生成するため、これらの画像ファイルの生成等に長時間を要し、撮影動作に関わる諸動作が妨げられ、ユーザーが撮影したいときに撮影動作を行うことができなくなるといった問題が生じる。
【０００６】
また、多量の画像ファイルを生成するため、ユーザーが画像ファイルの内容を区別する際に混乱を招くなど、取得したファイルを整理するのに手間がとられるといった問題も生じる。
【０００７】
以上のように、従来のデジタルカメラでは、静止画像と動画とを同時に取得することによって、種々の弊害が発生するという問題があった。
【０００８】
本発明は、上記課題に鑑みてなされたものであり、静止画像と動画とを同時に取得することによって発生する種々の弊害を取り除いたデジタルカメラを提供することを第１の目的とする。
【０００９】
本発明の第２の目的は、ユーザーの撮影を妨げることなく静止画像と動画とを同時に取得可能なデジタルカメラを提供することである。
【００１０】
本発明の第３の目的は、静止画像と動画とを同時に取得した際に、取得した画像ファイルを容易に整理可能なデジタルカメラを提供することである。
【００１１】
【課題を解決するための手段】
上記の課題を解決するために、請求項１の発明は、連続撮影した静止画像の組に基づいて動画ファイルを生成可能なデジタルカメラにおいて、撮影によって生成される画像ファイルを記録する記録手段と、前記記録手段の残容量を撮影可能枚数に換算して表示する撮影可能枚数表示手段と、前記連続撮影の際に、連続撮影した静止画像に基づいて静止画ファイルを各々生成するとともに、前記静止画像の組に基づいて動画ファイルをあわせて生成するファイル生成手段と、生成される動画ファイルの容量を考慮して前記撮影可能枚数表示手段に撮影可能枚数を表示するための表示制御手段とを備えることを特徴とする。
【００１２】
また、請求項２の発明は、連続撮影した静止画像の組に基づいて動画ファイルを生成可能なデジタルカメラにおいて、連続撮影によって得られた静止画像の組を一時的に記憶する一時記憶手段と、前記一時記憶手段に記憶された静止画像の組に基づいて静止画ファイルおよび動画ファイルを生成するファイル生成手段と、ユーザーの操作に基づいて、前記一時記憶手段に記憶された静止画像の組のうちの少なくとも一つの静止画像に対して削除を指示する削除指示手段とを備え、前記ファイル生成手段が、前記静止画像の組のうち前記削除の指示を受けた静止画像は、前記静止画ファイルおよび前記動画ファイルの生成には使用しないことを特徴とする。
【００１３】
また、請求項３の発明は、連続撮影した静止画像の組に基づいて動画ファイルを生成可能なデジタルカメラにおいて、連続撮影によって得られた静止画像の組を一時的に記憶する一時記憶手段と、前記静止画像の組に基づいて静止画ファイルと動画ファイルとを生成可能なファイル生成手段と、前記静止画像の組に含まれる少なくとも一つの静止画像に対応した静止画表示を撮影モード下で撮影結果として表示する結果表示手段とを備えることを特徴とする。
【００１４】
また、請求項４の発明は、連続撮影した静止画像の組に基づいて動画ファイルを生成可能なデジタルカメラにおいて、事前に決定されたタイミングでの連続撮影によって複数の静止画像を順次に取得する取得手段と、前記複数の静止画像に基づいて静止画ファイルおよび動画ファイルを生成するファイル生成手段と、前記連続撮影中に前記ファイル生成が新規な静止画ファイルを生成した後に、前記動画ファイルを構成する静止画像群に前記新規な静止画像を追加して前記動画ファイルを更新するファイル更新手段とを備えることを特徴とする。
【００１５】
また、請求項５の発明は、連続撮影した静止画像の組に基づいて動画ファイルを生成可能なデジタルカメラにおいて、連続撮影によって複数の静止画像を順次に取得する取得手段と、連続撮影期間内に前記複数の静止画像に基づいて静止画ファイルおよび動画ファイルを生成可能なファイル生成手段と、前記連続撮影における画像取得タイミングを避けて、前記動画ファイル生成に関する処理を前記ファイル生成手段に行わせる制御手段とを備えることを特徴とする。
【００１６】
【発明の実施の形態】
以下、本発明の実施形態を図面に基づいて説明する。
【００１７】
＜デジタルカメラの要部構成＞
図１、図２および図３は、本発明の実施形態に係るデジタルカメラ１の要部構成を示す図であり、図１は正面図、図２は上面図、図３は背面図に相当する。これらの図は必ずしも三角図法に則っているものではなく、デジタルカメラ１の要部構成を概念的に例示することを主眼としている。
【００１８】
図２に示すように、デジタルカメラ１は、撮影レンズであるマクロ機能付きレンズ群（以下、単に「レンズ」とも称する）３０を含む撮像部３を備えている。また、デジタルカメラ１は、ズーム機能を有しており、ズームリング３３を回転させることなどにより、撮影倍率の変更を行うことができる。さらに、デジタルカメラ１は、マクロ切替えレバー３４を備えており、マクロ撮影と通常撮影とを切り換えることができる。また、デジタルカメラ１の上面にはシャッターボタン９が設けられている。
【００１９】
また、デジタルカメラ１の上面には、「撮影モード」と「再生モード」と「通信モード」とを切替設定するモード切替えダイヤル１４が設けられている。撮影モードは、写真撮影を行なうモードであり、再生モードは、メモリカード８に記録された撮影画像データを背面ＬＣＤ１０に再生表示するモードである。また、通信モードは、デジタルカメラ１の側面に設けられるＵＳＢ端子２２６を介して、外部のパーソナルコンピュータ２２５などにデータ転送するモードである。また、デジタルカメラ１の上面には、データパネル３６がさらに設けられており、このデータパネル３６において各種モードの設定状況等が表示される。
【００２０】
さらに、デジタルカメラ１の上面には、各種設定を変更するためのダイヤル１７が設けられている。
【００２１】
また、デジタルカメラ１の側面上方には、「画像サイズ」と「画質」と「露出モード」と「ドライブモード」と「ホワイトバランス」と「撮影感度」（６項目）の撮影条件および撮影方法を設定および変更するためのファンクションダイヤル１５およびファンクションボタン１６が設けられており、撮影モードにおいて、ファンクションダイヤル１５を回転させて６項目のうちからいずれかの項目を選択し、ファンクションボタン１６を押下することによって選択された項目の撮影条件または撮影方法が設定または変更可能な状態となる。そして、ファンクションボタン１６の押下状態を維持したまま上述したダイヤル１７を回転させることによって、選択された項目の撮影条件または撮影方法を設定または変更することができる。具体的には、ドライブモードが選択された場合には、後述する「連写撮影」および「インターバル撮影」といった連続撮影の撮影方法を設定することができる。
【００２２】
図３に示すように、デジタルカメラ１の背面左方には、撮影画像のライブビュー表示及び記録画像の再生表示等を行なうための液晶ディスプレイ（背面ＬＣＤ）１０と電子ビューファインダ（ＥＶＦ）２０とが設けられている。この背面ＬＣＤ１０およびＥＶＦ２０では、カラーで画像表示が行われる。
【００２３】
デジタルカメラ１の背面右方には、カーソルボタン（十字キー）Ｕ、Ｄ、Ｌ、Ｒ、および実行ボタン３２を含むコントロールボタン３５が設けられており、このコントロールボタン３５を用いて各種操作が行われる。また、デジタルカメラ１の背面には、メニューボタン３７が設けられている。このメニューボタン３７が押下されることにより、各種のメニューが背面ＬＣＤ１０に表示される。
【００２４】
また、デジタルカメラ１の背面には、クイックビューボタン３８が設けられている。撮影モード下で撮影後にこのクイックビューボタン３８が押下されることにより、直近の撮影結果（静止画像）が背面ＬＣＤ１０またはＥＶＦ２０に表示される（クイックビュー表示）。さらに、その状態からコントロールボタン３５の操作とクイックビューボタン３８の押下とによって選択した画像の削除を行うことができる。また、撮影後にアフタービューが背面ＬＣＤ１０またはＥＶＦ２０に表示される場合も同様に、コントロールボタン３５の操作とクイックビューボタン３８の押下とによって選択した画像の削除を行うことができる。この画像の削除についてはさらに後述する。
【００２５】
また、デジタルカメラ１の背面右下方には、音声入力状態とするための録音ボタン３９が設けられている。撮影後、背面ＬＣＤ１０またはＥＶＦ２０にクイックビューまたはアフタービューが表示されている状態で録音ボタン３９が押下されると、デジタルカメラ１の正面上方に設けられたマイクＭから音声が入力され、背面ＬＣＤ１０またはＥＶＦ２０に表示されている画像に音声が関連づけられてメモリカード８に記録される。
【００２６】
また、デジタルカメラ１の背面には、ディスプレイ切換レバー３１とビデオ出力端子２２２とが設けられている。ディスプレイ切換レバー３１は、背面ＬＣＤ１０の表示とＥＶＦ２０の表示との切換等を行うレバーである。ビデオ出力端子２２２は、外部モニタ２２３と通信線を介して接続するための端子である。
【００２７】
デジタルカメラ１の側面には、メモリカード８を挿入して装着できるメモリスロット８１が設けられている。
【００２８】
また、デジタルカメラ１では、モード切替えダイヤル１４で撮影モードが選択される場合、背面ＬＣＤ１０にライブビュー画像とともにＡＦカーソルＡＫを表示できる構成となっている。このＡＦカーソルＡＫは、十字キーＵ、Ｄ、Ｌ、Ｒを操作することによって、背面ＬＣＤ１０内を上下左右に移動できる。そして、ＡＦカーソルＡＫを中心に設定されるＡＦエリアについてＡＦ処理（後で詳述）が可能となる。
【００２９】
＜デジタルカメラ１の機能ブロック＞
図４は、デジタルカメラ１の機能ブロック図である。同図において、ＣＣＤ３０３は、１２８０×９６０画素を有し、レンズ群３０により結像された被写体の光像を、Ｒ（赤），Ｇ（緑），Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００３０】
撮像部３における露出制御は、レンズ駆動部３０６によるレンズ群３０の絞りと、ＣＣＤ３０３の露光量、つまり、シャッタスピードに相当するＣＣＤ３０３の電荷蓄積時間を調節して行なわれる。ここで、被写体輝度が低輝度時に適切なシャッタスピードが設定できない場合は、ＣＣＤ３０３から出力される画像信号のレベル調整を行なうことにより露光不足による不適正露出が補正される。すなわち、低輝度時は、絞りとシャッタスピードと信号処理回路３１３のゲイン調整とを組み合わせて露出制御が行なわれることとなる。
【００３１】
タイミングジェネレータ３１４は、全体制御部２１１から送信される基準クロック基づきＣＣＤ３０３の駆動制御信号を生成するものである。このタイミングジェネレータ３１４は、例えば積分開始／終了（露出開始／終了）のタイミング信号、各画素の受光信号の読出制御信号（水平同期信号，垂直同期信号，転送信号等）等のクロック信号を生成し、ＣＣＤ３０３に出力する。
【００３２】
信号処理回路３１３は、ＣＣＤ３０３から出力される画像信号（アナログ信号）に所定のアナログ信号処理を施すものである。この信号処理回路３１３は、ＣＤＳ（相関二重サンプリング）回路とＡＧＣ（オートゲインコントロール）回路とを有し、ＣＤＳ回路により画像信号のノイズ低減処理を行ない、ＡＧＣ回路でゲインを調整することにより画像信号のレベル調整を行なう。
【００３３】
Ａ／Ｄ変換器２０５は、画像信号の各画素信号を１２ビットのデジタル信号に変換するものである。Ａ／Ｄ変換器２０５は、タイミング発生回路から入力されるＡ／Ｄ変換用のクロックに基づいて各画素信号（アナログ信号）を１２ビットのデジタル信号に変換する。
【００３４】
ＷＢ（ホワイトバランス）回路２０７は、Ｒ，Ｇ，Ｂの各色成分の画素データのレベル変換を行なうものである。このＷＢ回路２０７は、全体制御部２１１で記憶されるレベル変換テーブルを用いてＲ，Ｇ，Ｂの各色成分の画素データのレベルを変換する。なお、レベル変換テーブルの各色成分のパラメータ（特性の傾き）は全体制御部２１１により、オートまたはマニュアルで、撮影画像毎に設定される。γ補正回路２０８は、画素データの階調を補正するものである。
【００３５】
色変換・色補正回路２３１は、γ補正回路２０８から入力される画像データに対して、例えばＹＣｒＣｂ系に色空間を変換し、色再現性を向上させる色補正を行うものである。
【００３６】
解像度変換部２３２は、ライブビュー撮影時に、ＣＣＤ３０３で取得される画像データを１／４に間引いた画像データ（３２０×２４０画素）を生成する。
【００３７】
ＡＦ評価値演算部２３３は、シャッターボタン９が半押し状態（Ｓ１）になった場合に、コントラスト方式のＡＦを行うための評価値演算動作が行われる。ここでは、撮影画像データのうち上記のＡＦエリアに相当するデータに関して、隣接する各画素に関する差分の絶対値の和である評価値が演算される。そして、レンズ群３０を駆動し、この評価値の最も高いレンズ位置が合焦位置とされる。これにより、ＡＦエリアに対してレンズ群３０を駆動し合焦を行うため、主被写体などを狙ってピントを合わせることができる。なお、デジタルカメラ１では、ＡＦカーソルＡＫにより合焦位置を指定せず、背面ＬＣＤ１０の画面中央部にＡＦエリアを設定する撮影モードも備えている。
【００３８】
測光演算部２３４では、解像度変換部２３２から出力される画像データを例えば３００（２０×１５）ブロックに分割し、各ブロックごとに測光データを算出する多分割測光を行うことができる。
【００３９】
画像メモリ２０９は、ＣＣＤ３０３で取得され、上記の画像処理が施された画像データ（静止画像）を一時的に記憶するメモリである。画像メモリ２０９は、少なくとも数フレーム分の記憶容量を有している。すなわち、画像メモリ２０９は、ＣＣＤ３０３画素数に対応する１２８０×９６０画素分の画素データ数フレーム分の記憶容量を少なくとも有し、各画素データが対応する画素位置に記憶されるようになっている。
【００４０】
ＥＶＦ／背面ＬＣＤ切替え部２３５は、ディスプレイ切替えレバー３１の設定に基づいて、背面ＬＣＤ１０とＥＶＦ２０との表示切替えを行う。
【００４１】
デジタルカメラ１の撮影待機状態では、ＣＣＤ３０３により１／３０（秒）毎に撮像された画像の各画素信号がＡ／Ｄ変換器２０５〜解像度変換部２３２により所定の信号処理を施された後、全体制御部２１１を介してＥＶＦ／ＬＣＤ切替え部２３５に転送され、背面ＬＣＤ１０やＥＶＦ２０に表示される（ライブビュー表示）。これにより、ユーザはＣＣＤ３０３で撮像される被写体像を視認することができることとなる。また、再生モードにおいては、メモリカード８から読み出された画像が全体制御部２１１で所定の信号処理が施された後、ＥＶＦ／ＬＣＤ切替え部２３５に転送され、背面ＬＣＤ１０やＥＶＦ２０に再生表示される。
【００４２】
カードＩ／Ｆ２１２は、メモリスロット８１に装着されるコンピュータ読み取り可能な記録媒体であるメモリカード８への画像データおよび音声データの読み書きを行なうためのインターフェースである。このメモリカード８への画像データの読み書きでは、静止画像については、圧縮・伸張部２３６において例えばＪＰＥＧ方式で画像の圧縮・伸張が行われる。なお、メモリカード８の記録容量などのカード情報はカード自身に格納されている。
【００４３】
また、ＵＳＢＩ／Ｆ２２４は、外部のパーソナルコンピュータ２２５と通信可能にするための、ＵＳＢ規格に準拠した通信用インターフェースである。これらのカードＩ／Ｆ２１２、ＵＳＢＩ／Ｆ２２４を介して、メモリカード８やパーソナルコンピュータ２２５にセットされるＣＤ−ＲＯＭなどの記録媒体に記録されている制御プログラムを、全体制御部２１１のＲＯＭ２１１ｂ内に取り込むことができる。
【００４４】
操作部２５０は、上述したシャッターボタン９、ディスプレイ切換レバー３１、ファンクションダイヤル１５、ファンクションボタン１６、ダイヤル１７、コントロールボタン３５、クイックビューボタン３８、録音ボタン３９などの各種ボタン、レバーなどで構成されている。
【００４５】
シャッターボタン９は、銀塩カメラで採用されているような半押し状態（Ｓ１）と押し込んだ状態（Ｓ２）とが検出可能な２段階スイッチになっている。待機状態でシャッターボタン９をＳ１状態にすると、ＡＦのためのレンズ駆動を開始し、ＡＦ評価値演算部２３３で画像のコントラストを評価しながら、コントラストがもっとも高くなるようにレンズを駆動し停止させる。一方、シャッターボタン９をＳ２状態にすると、ＣＣＤ３０３で取得され画像処理が施された画像データが圧縮・伸張部２３６でデータ圧縮されるとともに、そのサムネイル画像が全体制御部２１１で生成される。そして、生成された画像データとサムネイル画像データとが、一般的に画像メモリ２０９に記憶された後に、カードＩ／Ｆ２１２を介してメモリカード８に画像ファイル化されて記録される。
【００４６】
また、撮影モード下において、撮影後に、アフタービュー表示またはクイックビュー表示を行う場合には、画像メモリ２０９に一時的に記憶されている静止画であるサムネイル画像が撮影結果としてＥＶＦ／ＬＣＤ切替え部２３５に転送され、背面ＬＣＤ１０やＥＶＦ２０に表示される。
【００４７】
また、連続撮影の一つである連写撮影を行う際には、シャッターボタンをＳ２状態にすると、毎秒７コマのタイミングで連続した撮影を開始し、シャッターボタンのＳ２状態が解除されると連写撮影を終了する。そして、連写撮影によってＣＣＤ３０３で取得され画像処理が施された静止画像は画像メモリ２０９に一時的に記憶され、背面ＬＣＤ１０またはＥＶＦ２０にアフタービューまたはクイックビューが表示されている間に、コントロールボタン３５の操作とクイックビューボタン３８の押下とによって画像メモリ２０９に一時的に記憶されている静止画像を削除することができる。つまり、画像メモリ２０９に一時的に記憶された静止画像を削除するというユーザーの編集操作に基づいた編集結果によって、削除されなかった静止画像に基づいて静止画ファイルおよび動画ファイルを生成することができる。なお、ここで言う「編集」とは、連続撮影されて一時的に記憶された静止画像の一部若しくは全部の削除、つまりは、撮影画像情報（画像ファイルなど）を記録しないという選択や、後述する連続撮影されて一時的に記憶された静止画像に対して音声情報などの付加情報を付加することなどを言う。連写撮影についてはデジタルカメラ１の動作説明においてさらに詳述する。
【００４８】
また、連続撮影の一つであるインターバル撮影を行う際には、シャッターボタンをＳ２状態にすると、ユーザーによって撮影前に予め設定されたタイミングにしたがって全体制御部２１１の制御の下で、複数回撮影する連続撮影が実施され、ユーザーによって設定されたコマ数の画像の取得が行われるとインターバル撮影を終了する。つまり、ここでは、インターバル撮影前に予め設定されたタイミングで複数回撮影することによって、ＣＣＤ３０３で取得され画像処理が施された画像データ（静止画像）を取得し、画像メモリ２０９に一時的に記憶する。なお、本実施形態では、インターバル撮影の開始から終了までと、すべての画像取得後に省電力または電源オフの状態となっている時間を含めた期間を「インターバル撮影（連続撮影）期間」と呼ぶこととする。インターバル撮影についてはデジタルカメラ１の動作説明においてさらに詳述する。
【００４９】
マイクＭは、ユーザーが必要に応じて録音ボタン３９を押下した際に音声を入力する。入力された音声はマイクＭでアナログ音声データ化され、操作部２５０を介して全体制御部２１１へ送られ、全体制御部２１１でデジタル音声データ化された後に、圧縮・伸張部２３６において圧縮処理されてカードＩ／Ｆ２１２を介してメモリカード８に音声ファイルとして記録される。なお、アナログ音声データをデジタル音声データ化する方式としては、例えば、ＰＣＭ（パルス符号変調）方式などが挙げられ、音声ファイルとしては、例えば、ＷＡＶ形式などが挙げられ、また、圧縮・伸張方式としては、例えば、ＡＤＰＣＭ（適応差分パルス符号変調）方式などが挙げられる。
【００５０】
外部モニタＩ／Ｆ２２１は、ＥＶＦ／ＬＣＤ切替え部２３５から転送される画像データを、例えばＮＴＳＣ方式に信号変換を行うインターフェースであり、ビデオ出力端子２２２を介して外部モニタ２２３に画像信号を送信する。
【００５１】
全体制御部２１１は、マイクロコンピュータ（ＣＰＵ）、ＲＡＭ２１１ａおよびＲＯＭ２１１ｂを有しており、上述したカメラの各部材の駆動を有機的に制御してデジタルカメラ１の動作を統括制御する。
【００５２】
電源２８０は、デジタルカメラ１全体に電力を供給するためのものであり、例えば、ニッケル水素電池等が挙げられる。そして、電源２８０は、電力制御部２８１を介してデジタルカメラ１全体に電力を供給する。
【００５３】
リアルタイムクロック２６０は、時刻情報を管理するための回路であり、電源２８０とは異なる電源によって電力が供給されている。また、リアルタイムクロック２６０は、ユーザーによって事前に決定された所定のタイミングで複数の静止画像を順次に取得するインターバル撮影を実施する際にはタイマとして働き、所定のタイミングの前になると電力制御部２８１に信号を送り、電源２８０からデジタルカメラ１全体に電力が供給されていない場合には、電力制御部２８１が電源２８０からデジタルカメラ１全体に対して電力を供給するように制御する。また、リアルタイムクロック２６０は、上記所定のタイミングの前になると全体制御部２１１にも信号を送り、全体制御部２１１は電力制御部２８１からの電力の供給を受けて所定のタイミングで撮影動作を行うべくデジタルカメラ１全体を制御する。
【００５４】
また、全体制御部２１１は、連続撮影（連写撮影またはインターバル撮影）において取得され画像メモリ２０９に一時的に記憶された画像データ（静止画像）から動画を生成する際には、画像メモリ２０９に一時的に記憶された静止画像に対して画素数１２８０×９６０から間引き処理を施して画素数６４０×４８０に解像度を低減する。その後、解像度を下げた静止画像に基づいて、動画を生成し、圧縮・伸張部２３６において圧縮して、カードＩ／Ｆ２１２を介してメモリカード８に動画ファイルを生成して記録する。なお、動画ファイルとしては、例えば、ＡＶＩファイルが挙げられ、圧縮・伸張する方式としてはＭｏｔｉｏｎ  ＪＰＥＧ方式などが挙げられる。
【００５５】
また、全体制御部２１１は、メモリカード８に記録可能な容量である残容量を読み出し、これから撮影する画像データの解像度に基づいてデジタルカメラ１の上面に設けられたデータパネル３６に撮影可能枚数を表示する。そして、連写撮影の際には、静止画像の組を取得を開始した後、静止画ファイルおよび動画ファイルの生成前に、全体制御部２１１は、生成される動画ファイルの容量を考慮して、画像ファイル生成・記録後のメモリカード８に記録可能な残容量を算出し、その値を撮影可能枚数に換算してデータパネル３６に表示する。なお、撮影可能枚数の表示についてはさらに後述する。
【００５６】
＜メモリカード８に記録された各種ファイル＞
デジタルカメラ１における撮影によって取得された画像データおよびマイクＭより入力された音声データはそれぞれ画像ファイル化（静止画ファイル化、および動画ファイル化）および音声ファイル化されてメモリカード８に記録される。以下、本発明にかかるデジタルカメラ１によってメモリカード８に記録された画像ファイル（静止画ファイル、および動画ファイル）および音声ファイルについて以下説明する。
【００５７】
＜ファイル名の付け方＞
図５（ａ）は、本発明の実施形態にかかるデジタルカメラ１で撮影された画像データに基づいてメモリカード８内に記録された静止画ファイルおよび動画ファイルを示す模式図である。図５（ｂ）は比較のために、従来、デジタルカメラなどで取得された静止画ファイルをコンピューター等に持ち込んで生成した動画ファイルと静止画ファイルとが記録された記録媒体内の画像ファイルを示す模式図である。
【００５８】
図５（ｂ）では、静止画ファイル１，静止画ファイル２，・・・，静止画ファイル９９に対してファイル名がＰＩＣ００００１．ｊｐｇ，ＰＩＣ００００２．ｊｐｇ，・・・，ＰＩＣ０００９９．ｊｐｇと付され、動画ファイル１に対してファイル名がＰＩＣ００１００．ＡＶＩと付されている。また、静止画ファイル１００，静止画ファイル１０１，・・・，静止画ファイル１４０に対してファイル名がＰＩＣ００１０１．ｊｐｇ，ＰＩＣ００１０２．ｊｐｇ，・・・，ＰＩＣ００１４１．ｊｐｇと付され、動画ファイル２に対してファイル名がＰＩＣ００１４２．ＡＶＩと付されている。ここでは、静止画ファイルと動画ファイルのファイル名が連番となっているため、動画ファイルがどの静止画ファイルに基づいて生成されたのか判断がつかない。例えば、動画ファイル１が静止画ファイル１〜静止画ファイル９９に基づいて生成されているのか、静止画ファイル５１〜静止画ファイル９９に基づいて生成されているのかファイル名を見ただけでは判断がつかない。
【００５９】
これに対して、本発明にかかるデジタルカメラ１で撮影された画像データに基づいてメモリカード８内に記録された静止画ファイルおよび動画ファイルは、図５（ａ）に示すように、静止画ファイル１，静止画ファイル２，・・・，静止画ファイル９９に対してファイル名がＢ００１０００１．ｊｐｇ，Ｂ００１０００２．ｊｐｇ，・・・，Ｂ００１００９９．ｊｐｇと付され、動画ファイル１に対してファイル名がＢ００１０１００．ＡＶＩと付されている。また、静止画ファイル１００，静止画ファイル１０１，・・・，静止画ファイル１４０に対してファイル名がＢ００２０００１．ｊｐｇ，Ｂ００２０００２．ｊｐｇ，・・・，Ｂ００２００４１．ｊｐｇと付され、動画ファイル２に対してファイル名がＢ００２００４２．ＡＶＩと付されている。
【００６０】
図６（ａ）および図６（ｂ）は、それぞれ静止画ファイルおよび動画ファイルのファイル名について説明している図である。図６（ａ）および図６（ｂ）に示すように、静止画ファイルおよび動画ファイルのファイル名のうち左から２番目〜４番目の文字は”連写系列番号”を示しており、左から６番目〜８番目の文字は”ファイル番号”を示しており、右から１〜３番目の文字は”拡張子”を示している。
【００６１】
連写系列番号は、一連の連続撮影をした結果得られたファイルであることを示しており、例えば、連続撮影をした順に連写系列番号が００１，００２，・・・，０９９というように付される。また、ファイル番号は、一連の連続撮影をした結果得られたファイルの順に番号が付されたものであり、例えば、一連の連続撮影の結果得られたファイルの順に００１，００２，・・・，１００というように番号が付される。また、拡張子については周知のごとく図６（ａ）では静止画ファイルのＪＰＥＧ形式に対応するｊｐｇが付されており、図６（ｂ）では動画ファイルのＡＶＩ形式に対応するＡＶＩが付されている。
【００６２】
したがって、図５（ａ）に示すように、動画ファイル１（Ｂ００１０１００．ＡＶＩ）が、静止画ファイル１（Ｂ００１０００１．ｊｐｇ）〜静止画ファイル９９（Ｂ００１００９９．ｊｐｇ）の静止画像に基づいて生成しているとファイル名を見ただけで判断することができ、また、動画ファイル２（Ｂ００２００４２．ＡＶＩ）が、静止画ファイル１００（Ｂ００２０００１．ｊｐｇ）〜静止画ファイル１４０（Ｂ００１００４１．ｊｐｇ）の静止画像に基づいて生成しているとファイル名（主に連写系列番号）を見ただけで判断することができる。
【００６３】
なお、連続撮影でない単独の撮影を行った場合には、従来通りのファイル名を付与する。
【００６４】
＜画像ファイル内の記録内容＞
図７は、１つの静止画ファイル内の記録内容を説明する図であり、図示するように１つの静止画ファイルにはタグ情報、高解像度の画像データ、およびサムネイル画像データとから構成される。
【００６５】
図８は、１つの動画ファイル内の記録内容を説明する図であり、例えば、図示するように１つの動画ファイル１は、静止画ファイル１〜静止画ファイル９９に係る静止画像から生成されているため、静止画ファイル１〜静止画ファイル９９に対応する画像データ１〜画像データ９９の９９フレームの画像データから構成される。
【００６６】
＜音声ファイルの記録＞
図９は、連続撮影後に撮影結果に対して音声情報（ボイスメモ）を付した場合に、記録される音声ファイルと撮影結果との関連づけについて示した模式図である。例えば、図示するように、音声ファイル１は連続撮影を行って静止画ファイル１〜静止画ファイル９９を得る際にボイスメモを付した結果得られた音声ファイルであり、音声ファイル１は、関係のある静止画ファイル１〜静止画ファイル９９と関連づけて記録するために、連続撮影された最後の静止画ファイル（静止画ファイル９９）と同じ連写系列番号およびファイル番号が付され、音声ファイル１のファイル名はＢ００１００９９．ＷＡＶとなる。そして、図９に示すように、連続撮影された最後の静止画ファイルであるタグ情報内に、関係するボイスメモが存在していること、および、関係するボイスメモのファイル名が記述される。具体的には、静止画ファイル９９のタグ情報として「ボイスメモあり、Ｂ００１００９９．ＷＡＶ」と記述される。
【００６７】
＜デジタルカメラ１の動作＞
以下では、デジタルカメラ１の動作のうち、主に連続撮影（連写撮影およびインターバル撮影）に関する動作を説明する。連続撮影の動作は、ユーザーによる各種設定ならびに操作部２５０の各種操作に基づいて、全体制御部２１１の制御のもとで自動的に実行される。なお、連続撮影以外の動作については、デジタルカメラの一般的な動作が行われる。
【００６８】
＜連続撮影前の各種設定＞
図１０は、連続撮影前に、連続撮影によって取得した静止画像に基づいて動画ファイルを自動的に生成するか否かを設定する動画設定画面を示している。なお、図１０では、背面ＬＣＤ１０に表示される動画設定画面を示している。切替えダイヤル１４を操作することによって「撮影モード」とし、メニューボタン３７を押下した後に、コントロールボタン３５を種々操作することによって、図１０（ａ）に示す動画設定画面が背面ＬＣＤ１０に表示される。そして、カーソルＫＳ１を十字キーＵ、Ｄを押下することによって動画生成の「あり」「なし」のいずれかに合わせて、実行ボタン３２を押下することによって、動画生成の有無を設定できる。具体的には、図１０（ａ）に示すように動画生成の「あり」にカーソルＫＳ１を合わせて実行ボタン３２を押下することによって、図１０（ｂ）に示すように、動画生成の「あり」が選択設定される。
【００６９】
図１１は、撮影後にアフタービュー（撮影結果）を背面ＬＣＤ１０またはＥＶＦ２０に表示するか否かを設定するアフタービュー設定画面を示す模式図である。なお、図１１では、背面ＬＣＤ１０に表示されるアフタービュー設定画面を示している。動画設定画面を表示させる動作と同様に「撮影モード」とし、メニューボタン３７を押下した後に、コントロールボタン３５を種々操作することによって、図１１に示す動画設定画面が背面ＬＣＤ１０に表示される。そして、カーソルＫＲを十字キーＵ、Ｄを押下することによってアフタービューの表示の有無および表示時間を設定することができる。具体的には、図１１に示すように、カーソルＫＲを「なし」「２秒」「１０秒」のいずれかに合わせて実行ボタン３２を押下することによって、アフタービューの表示なし、撮影後アフタービューを２秒間表示、または、撮影後アフタービューを１０秒間表示、のいずれかを設定することができる。
【００７０】
＜連写撮影＞
＜連写撮影のフロー＞
図１２から図１４は、デジタルカメラ１の連写撮影の動作を示すフローチャートである。
【００７１】
切替えダイヤル１４を操作することによって「撮影モード」とし、ファンクションダイヤル１５を回転させて、ドライブモードを選択し、ファンクションボタン１６を押下して押下状態を維持したままダイヤル１７を回転させることによって、撮影方法を「連写撮影」に設定すると、ステップＳ１へ進む。
【００７２】
ステップＳ１では、シャッターボタン９が半押しされてＳ１状態となったか否かについて全体制御部２１１が判断を行う。そして、Ｓ１状態となったと判断するとステップＳ２へ進み、Ｓ１状態となっていないと判断されるとフローチャートの最初に戻る。
【００７３】
ステップＳ２では、自動露出制御（ＡＥ）、オートフォーカス（ＡＦ）、自動ホワイトバランス調整（ＡＷＢ）を実施し、ステップＳ３へ進む。なお、ＡＥ、ＡＦ、ＡＷＢについては、全体制御部２１１の制御の下で実施し、その機能については簡単に上述したとおりで、動作については一般的なデジタルカメラと同様な動作となるため、ここでは、説明を省略する。
【００７４】
ステップＳ３では、シャッターボタン９が押し込まれてＳ２状態となったか否かについて全体制御部２１１が判断を行う。具体的には、Ｓ２状態となったと判断するとステップＳ４へ進み、Ｓ２状態となっていないと判断するとステップＳ１へ戻る。
【００７５】
ステップＳ４では、画像メモリ２０９の容量に空きがあるか否かについて全体制御部２１１が判断を行う。具体的には、取得しようとする画像データ１つ分以上の空き容量が画像メモリ２０９にある場合にはステップＳ５へ進み、取得しようとする画像データ１つ分以上の空き容量が画像メモリ２０９にない場合には図１３のステップＳ１２へ進む。
【００７６】
ステップＳ５では、被写体の撮像を行う。つまり、ＣＣＤ３０３が、撮影レンズ３０により結像された被写体の光像を画像信号として出力することにより、１２８０×９６０画素数の画像信号を取得し、ステップＳ６へ進む。なお、ここでは、連写間隔を短くするため、シャッタスピードの上限を８分の１秒程度に制限しても構わない。
【００７７】
ステップＳ６では、ステップＳ５において取得した画像信号に対してフィルタ処理、各種補正（補間）、画像サイズ変換等の画像処理を実施する。具体的には、信号処理回路３１３において、ステップＳ５において取得した画像信号（アナログ信号）に対してＣＤＳ回路によるノイズ低減処理、ＡＧＣ回路でゲインを調整することにより画像信号のレベル調整を行なう。その後、Ａ／Ｄ変換器２０５においてデジタル信号に変換し、ＷＢ回路２０７においてＲ，Ｇ，Ｂの各色成分の画素データのレベルを変換し、γ補正回路２０８において画素データの階調を補正し、色変換・色補正回路２３１において色補正を行う。そして、解像度変換部２３２において必要に応じて画像サイズの変換を行い、ステップＳ７へ進む。
【００７８】
ステップＳ７では、ステップＳ６で得られた画像データに基づいて全体制御部２１１においてサムネイル画像を生成し、ステップＳ８へ進む。
【００７９】
ステップＳ８では、ステップＳ６で得られた画像データに対して圧縮・伸張部２３６で圧縮処理を行い、ステップＳ９へ進む。
【００８０】
ステップＳ９では、ステップＳ７およびステップＳ８で得られたサムネイル画像および圧縮処理された静止画像を画像メモリ２０９に一時記憶し、ステップＳ１０へ進む。
【００８１】
ステップＳ１０では、Ｓ２状態が継続されているか否かを全体制御部２１１が判断する。つまり、Ｓ２状態が継続されていれば連写撮影の動作を継続するためにステップＳ１１へ進み、Ｓ２状態が継続されていなければ連写撮影の動作を終了するため、ステップＳ１２へ進む。
【００８２】
ステップＳ１１では、連写撮影の動作を継続するため、次の撮像の準備のために、ステップＳ２と同様にＡＥ、ＡＦ、ＡＷＢを実施し、ステップＳ４へ進む。
【００８３】
ステップＳ１２では、全体制御部２１１が連写撮影によって得られた画像メモリ２０９に記憶されている画像データ（静止画像）から生成すべき静止画ファイルの記録に必要な容量と、画像メモリ２０９に記憶された画像データ（静止画像）から動画を生成することを設定されている場合は、生成すべき動画ファイルの記録に必要な容量とを考慮してメモリカード８の残容量を算出し、その値を撮影可能枚数に換算してデータパネル３６に表示する。ステップＳ１２のデータ処理の流れについては、図１４にフローチャートを示す。以下、図１４にしたがってステップＳ１２のデータ処理の流れについて説明する。
【００８４】
ステップＳ１４１では、メモリカード８の残容量を確認する。つまり、全体制御部２１１がメモリカード８の残容量を読み出して確認し、ステップＳ１４２へ進む。
【００８５】
ステップＳ１４２では、画像メモリ２０９内に記憶されている画像コマ数を確認する。つまり、連写撮影によって何コマの静止画像が画像メモリ２０９内に記憶されているかについて確認を行い、ステップＳ１４３へ進む。
【００８６】
ステップＳ１４３では、ユーザーによって動画ファイルの生成の設定がなされているか否かについて判断する。ここでは、動画ファイルの生成の設定がなされている場合はステップＳ１４４へ進み、動画ファイルの生成の設定がなされていない場合はステップＳ１４５へ進む。
【００８７】
ステップＳ１４４では、画像メモリ２０９に記憶されている静止画像、および生成すべき動画の解像度をもとに生成すべき静止画ファイルおよび動画ファイルの記録に必要な容量を算出し、ステップＳ１４６へ進む。
【００８８】
ステップＳ１４５では、画像メモリ２０９に記憶されている静止画像に基づいて生成すべき静止画ファイルの記録に必要な容量を算出し、ステップＳ１４６へ進む。
【００８９】
ステップＳ１４６では、ステップＳ１４４から進んできた場合は、ステップＳ１４１において読み出して確認したメモリカード８の残容量と、ステップＳ１４４で算出した画像ファイルの容量との差分を算出して、画像ファイル生成・記録後のメモリカード８内の残容量を算出し、ステップＳ１４７へ進む。また、ステップＳ１４５から進んできた場合は、ステップＳ１４１において読み出して確認したメモリカード８の残容量と、ステップＳ１４５で算出した画像ファイルの容量との差分を算出して、画像ファイル生成・記録後のメモリカード８内の残容量を算出し、その値を撮影可能枚数に換算して、ステップＳ１４７へ進む。
【００９０】
ステップＳ１４７では、ステップＳ１４６で算出した残容量に基づいてデータパネル３６に表示を行い、ステップＳ１２の残容量表示処理を終了する。
【００９１】
以上説明したステップＳ１２におけるメモリカード８の残容量の算出および撮影可能枚数の表示について、以下、具体的な一例を挙げて説明する。
【００９２】
例えば、フォーマットしたばかりの１６ＭＢのメモリカード８を使用して、解像度が１２８０×９６０画素の静止画像１００枚を連写撮影した場合、生成すべき１００個の静止画ファイルを記録するためには、メモリカード８には約８ＭＢの容量が必要となる。そして、上記１００枚の静止画像から生成される動画（６４０×４８０画素）ファイルの容量は約１ＭＢとなる。したがって、この場合、ステップＳ１４４において算出される画像ファイルの容量は約９ＭＢとなり、ステップＳ１４５において算出される画像ファイルの容量は約８ＭＢとなる。さらに、ステップＳ１４６では、動画ファイルの生成の設定がなされている場合には、メモリカード８の残容量を約７ＭＢと算出し、動画ファイルの生成の設定がなされていない場合には、メモリカード８の残容量を約８ＭＢと算出する。そして、ステップＳ１４７では、動画ファイルの生成の設定の有無に対応して、それぞれ撮影可能枚数を７９枚、および１０２枚とデータパネル３６に表示する。
【００９３】
図１５は、その後の連写撮影中において、メモリカード８の残容量に基づいた表示がなされているデータパネル３６を示した図である。図１５に示すように、データパネル３６の右下には静止画像の撮影可能なフレーム数３６ｂを示す。
【００９４】
したがって、ここでは、静止画像を撮影した後であって、動画ファイルを生成する前に、生成すべき静止画ファイルおよび動画ファイルの容量分も考慮して、メモリカード８内の残容量に基づいた表示をするため、ユーザーは、メモリカード８への記録限界を正確に把握することができる。また、ここでは、連写撮影中に１コマの静止画像を取得するごとに残容量を算出することなく、一連の連写撮影によって静止画像を取得した後、つまり、複数の静止画像の取得後に残容量を算出し、残容量の算出の回数を減じることによって、算出に要する負担を低減することができるため、その分だけ撮影に要する処理能力を向上されることができ、連写速度の向上を図ることができる。また、データパネル３６の表示を短時間の間に激しく変化させることがないため、表示を見やすくすることができる。
【００９５】
図１３に戻って説明を続ける。
【００９６】
ステップＳ１２において、メモリカード８の残容量の表示処理を行った後、ステップＳ１３へ進む。
【００９７】
ステップＳ１３では、連写撮影前のユーザーの設定にしたがってアフタービューを表示するか否かについて全体制御部２１１が判断を行う。具体的には、アフタービューを表示する場合にはステップＳ１５へ進み、アフタービューを表示しない場合にはステップＳ１４へ進む。
【００９８】
ステップＳ１４では、クイックビューボタン３８が押下されたか否かを全体制御部２１１が判断する。具体的には、ユーザーによってクイックビューボタン３８が押下された場合にはステップＳ１５へ進み、ユーザーによってクイックビューボタン３８が押下されなった場合にはステップＳ２１へ進む。なお、ステップＳ１４では、Ｓ２状態が解除された時点から１０秒以内にクイックビューボタン３８が押下されなければ自動的にステップＳ２２へ進む。
【００９９】
ステップＳ１５では、背面ＬＣＤ１０にサムネイル画像を表示し、ステップＳ１６へ進む。なお、ここで表示されるサムネイル画像は一連の連写撮影において最後に得られた静止画像に対応するサムネイル画像であり、アフタービューの表示の場合は撮影前に設定されたアフタービューの表示時間の間にステップＳ１６において削除操作がなされなければ、ステップＳ１９に進む。
【０１００】
ステップＳ１６では、画像メモリ２０９内に一時的に記憶されている画像データを削除するか否かについて全体制御部２１１が判断する。具体的には、背面ＬＣＤ１０に表示されたサムネイル画像によってユーザーが撮影結果を確認し、背面ＬＣＤ１０にサムネイル画像が表示されている間にクイックビューボタン３８等を押下すると、図１６に示す画面が背面ＬＣＤ１０に表示され、コントロールボタン３５を種々押下操作することによってカーソルＫＲ２を移動させて、画像メモリ２０９内に一時的に記憶されている画像データを削除するか否かを選択指示することができる。つまり、画像メモリ２０９内に一時的に記憶されている画像データの削除がユーザーによって指示されるとステップＳ１７へ進み、画像メモリ２０９内に一時的に記憶されている画像データの削除がユーザーによって指示されなかった場合はステップＳ１９へ進む。
【０１０１】
ステップＳ１７では、画像メモリ２０９内に一時的に記憶された画像データを全て削除して、ステップＳ１８へ進む。つまり、ここでは、ステップＳ１６において、指示されたユーザーの選択操作に基づいた編集内容が、画像メモリ２０９内に一時的に記憶されている画像データ（静止画像）の組の削除であり、画像メモリ２０９内に一時的に記憶された画像データは全て削除されるため、削除された静止画像に基づいては動画ファイルを生成しないこととなる。
【０１０２】
したがって、ここでは、連写撮影後に撮影モード下で表示される撮影結果として静止画像（サムネイル画像）を背面ＬＣＤ１０に表示することによって、動画像を生成する前に撮影結果を素早く確認することができ、必要な静止画ファイルおよび動画ファイルのみを選択的に生成することができるため、画像ファイルの生成にかかる負担を最小限に抑えることができる。また、ステップＳ１６において画像メモリ２０９に一時的に記憶されている画像データの削除がユーザーによって指示されると、画像メモリ２０９内に一時的に記憶された画像データが全て削除されるため、静止画ファイルおよび動画ファイルのいずれも生成しないことをステップＳ１６の操作において同時に選択できるため、操作効率を向上させることができる。
【０１０３】
また、ここでは、画像メモリ２０９に一時的に記憶されている画像データ（静止画像）の削除という編集結果に基づいて、削除されなかった静止画像のみに基づいて静止画ファイルおよび動画ファイルを生成し、動画ファイルを構成する画像データに対応する静止画ファイルが必ず生成されるため、図５（ａ）に示したように、対応する静止画ファイルと動画ファイルについて、対応づけてファイル名を付すことによって、静止画ファイルと動画ファイルとの対応関係を明確化することができる。
【０１０４】
ステップＳ１８では、画像メモリ２０９内の画像データに基づいて画像ファイルを生成することがなくなるため、全体制御部２１１の制御によってデータパネル３６に表示する残容量表示を変更する。具体的には、ステップＳ１４１において確認したメモリカード８内の残容量に基づいて表示し、ステップＳ１へ戻る。
【０１０５】
ステップＳ１９では、録音ボタン３９が押下されたか否かを全体制御部２１１の制御の下で判断する。具体的には、サムネイル画像が背面ＬＣＤ１０に表示されている間に、ユーザーによって録音ボタン３９が押下されるとステップＳ２０へ進み、サムネイル画像が背面ＬＣＤ１０に表示されている間に、ユーザーによって録音ボタン３９が押下されないとステップＳ２２へ進む。
【０１０６】
ステップＳ２０では、マイクＭから入力される音声に基づいて全体制御部２１１において音声データを生成し、ＲＡＭ２１１ａに一時的に記憶して、ステップＳ２１へ進む。
【０１０７】
ステップＳ２１では、ステップＳ１２において算出された残容量と、ステップＳ２０において生成された音声データが音声ファイルとされた場合の容量との差分を全体制御部２１１が算出し、算出された値に基づいてデータパネル３６に表示される残容量表示を変更して、ステップＳ２２へ進む。
【０１０８】
ステップＳ２２では、画像メモリ２０９に一時的に記憶されている画像データ（静止画像）と、ＲＡＭ２１１ａに一時的に記憶されている音声データとから静止画像データおよび音声データを順次生成してメモリカード８に記録し、ステップＳ２３へ進む。
【０１０９】
図１７に画像メモリ２０９に一時的に記憶された画像データから画像ファイルが生成されてメモリカード８に記録される様子を説明する図を示しているが、ステップＳ２２では、図１７に示すように、画像メモリ２０９内の１コマ分の撮影画像データとサムネイル画像データとから１つの静止画ファイルを生成してメモリカード８に記録する。
【０１１０】
また、ここでは、図９において図示したように、音声ファイルを一連の連写撮影の最後の静止画ファイルに関連づけてメモリカード８に記録し、音声ファイルには、最後の静止画ファイルと同じファイル番号を付し、最後の静止画ファイルのタグ情報には、関連する音声ファイル（ボイスメモ）が存在していることと、その音声ファイルのファイル名とを記述する。つまり、ここではユーザーの操作による編集内容が撮影後の音声情報の付加であり、音声情報を静止画ファイルにのみ関連づけてメモリカード８に記録する。
【０１１１】
したがって、ここでは、生成された静止画ファイルに音声情報等の画像内容の識別や説明を主眼とした付加情報を付加する静止画像の編集をすることができるため、付加情報の付加によって生成後の静止画ファイルの内容を容易に把握可能な状態とすることができる。また、付加情報としての音声情報を静止画ファイルにのみ付加することによって、動画ファイルに、付加情報としての音声情報が付加されることにより生じる、あたかも動画像に同期して記録された音声データと錯覚してしまうというユーザーの予期せぬ混乱を防止することができる。さらに、本実施形態にかかるデジタルカメラ１においては、静止画ファイルのみを生成して、動画ファイルを生成しない場合もあるため、どの画像ファイルに付加情報を付加するのかといった設定に依存する切換操作の煩雑さを防止する効果もある。
【０１１２】
ステップＳ２３では、撮影前に設定したユーザーの設定にしたがって動画ファイルを生成するか否かを全体制御部２１１が判断する。具体的には、動画ファイルの生成が設定されている場合はステップＳ２４へ進み、動画ファイルの生成が設定されていない場合はステップＳ１へ戻る。
【０１１３】
ステップＳ２４では、全体制御部２１１の制御のもとで解像度変換部２３２において、画像メモリ２０９に一時的に記憶されている静止画データ（画素数１２８０×９６０）の解像度を一旦画素数６４０×４８０に下げ、全体制御部２１１で解像度を下げた静止画データに基づいて動画データ（画素数６４０×４８０）を生成して動画ファイルとしてメモリカード８に記録し、ステップＳ１へ戻る。ここでは、図１７に示すように、連写撮影されて画像メモリ２０９に一時的に記憶されているＮコマの画像データ（静止画データ）に基づいて、動画データを生成し、１つの動画ファイルを生成する。したがって、例えば、連写撮影によって４０コマの画像データを画像メモリ２０９に一時的に記憶している場合は、４０コマの画像データに基づいて、４０フレームの動画データを生成して動画ファイルを生成する。また、ここでは、連続撮影された静止画像（第１の静止画像の組）の解像度を下げた第２の静止画像の組から動画ファイルを生成して記録させることによって、動画ファイルの生成時および記録後の再生時の処理に要する負荷を低減することができるため、処理時間の短縮を図ることができる。
【０１１４】
以上、本発明にかかるデジタルカメラ１においては、連写撮影を実施する際に、撮影後であって、動画ファイルの生成前においても、生成すべき動画ファイルおよび静止画ファイルの容量も考慮して残容量表示を行うために、動画ファイルおよび静止画ファイルの記録後の撮影可能限界を素早く把握することができるとともに、静止画ファイルおよび動画ファイルを生成するか否かを判断する際の指標とすることができ、また、撮影後の撮影結果の表示を静止画像で行うことによって、動画生成前に取得した画像データの取捨選択を実施することができるため、無駄な動画生成時間を低減することができ、さらに、取得した静止画像から解像度を下げて動画を生成することによって、動画生成時間を低減することができるため、次の撮影等を妨げることなく静止画像と動画とを同時に取得可能とすることができる。
【０１１５】
また、静止画ファイルにユーザーの入力によって音声情報などの付加情報を付加することによって、付加情報の付加によって生成後の画像ファイルの内容を容易に把握することができるため、静止画像と動画とを同時に取得した際に、取得した画像ファイルを容易に整理可能とすることができる。
【０１１６】
したがって、ここでは、デジタルカメラにおいて、静止画像と動画とを同時に取得することによって発生する種々の弊害を取り除くことができる。
【０１１７】
なお、本実施形態においてはアフタービュー表示中の編集の例として、撮影画像情報（画像ファイル）をメモリカード８に記録しないという選択や、音声情報の付加を示したが、その他、トリミング画変換や、テキスト入力などであっても構わない。
【０１１８】
＜インターバル撮影＞
＜インターバル撮影前の各種設定＞
図１８は、インターバル撮影前に、インターバル撮影の撮影タイミングと撮影枚数を設定する設定画面を示す図であり、図１８（ａ）は、撮影タイミングを設定する撮影間隔設定画面を示し、図１８（ｂ）は、撮影枚数を設定する撮影数設定画面を示している。なお、図１８では、背面ＬＣＤ１０に表示される設定画面を示している。
【０１１９】
ここでは、切替えダイヤル１４を操作することによって「撮影モード」とし、メニューボタン３７を押下した後に、コントロールボタン３５を種々操作することによって、図１８（ａ）に示す撮影間隔設定画面が背面ＬＣＤ１０に表示される。そして、十字キーＵ、Ｄを押下することによって、１分、５分、１０分、３０分、６０分のうち所望の撮影間隔を撮影間隔表示エリアＥ１に表示させ、実行ボタン３２を押下することによって、所望の撮影間隔を設定することができる。また、後程詳述するが、インターバル撮影中に、新規な静止画像が取得されるごとに新規な静止画像に基づいて動画ファイルを更新するような構成となっており、新規な静止画像に基づいて動画ファイルを更新するために要する時間よりも、各静止画像を取得する時間間隔の方が長くなっている。つまり、ここでは、動画ファイルの更新に要する時間は１分以内であり、動画ファイルを更新するための処理が、連続撮影の動作の妨げとならないため、連続撮影前に予め設定された時間間隔で正確に静止画像を連続して撮影することができる。
【０１２０】
また、撮影間隔を設定する場合と同様に、切替えダイヤル１４を操作することによって「撮影モード」とし、メニューボタン３７を押下した後に、コントロールボタン３５を種々操作することによって、図１８（ｂ）に示す撮影数設定画面が背面ＬＣＤ１０に表示される。そして、十字キーＵ、Ｄを押下することによって、２枚〜９９枚のうち所望の撮影枚数を枚数表示エリアＥ２に表示させ、実行ボタン３２を押下することによって、所望の撮影枚数を設定することができる。
【０１２１】
したがって、ここでは、例えば、撮影間隔を１分と設定し、撮影枚数を４０枚と設定すると、１分間隔で４０枚の撮影を行うインターバル撮影が行われることとなる。
【０１２２】
インターバル撮影は、図１８で示した設定画面における設定に基づいて自動的に撮影を行うが、以下の動作フローの説明では、説明を簡単にするためにインターバル撮影によって得られた静止画像に基づいて動画ファイルを生成し、アフタービューを表示するように設定されている場合のデジタルカメラ１の動作について以下説明する。
【０１２３】
＜インターバル撮影のフロー＞
図１９から図２１は、デジタルカメラ１のインターバル撮影の動作を示すフローチャートである。
【０１２４】
切替えダイヤル１４を操作することによって「撮影モード」とし、ファンクションダイヤル１５を回転させて、ドライブモードを選択し、ファンクションボタン１６を押下して押下状態を維持したままダイヤル１７を回転させることによって、撮影方法を「インターバル撮影」に設定し、全体制御部２１１が画像メモリ２０９の容量に１枚以上の静止画像を記憶するだけの空き容量があると判断した場合にステップＳ３１へ進む。
【０１２５】
ステップＳ３１では、シャッターボタン９が半押しされてＳ１状態となったか否かについて全体制御部２１１が判断を行う。具体的には、Ｓ１状態となったと判断するとステップＳ３２へ進み、Ｓ１状態となっていないと判断するとフローチャートの最初に戻り、再びステップＳ３１の判断動作を行うこととなる。
【０１２６】
ステップＳ３２では、自動露出制御（ＡＥ）、オートフォーカス（ＡＦ）、自動ホワイトバランス調整（ＡＷＢ）を実施し、ステップＳ３３へ進む。なお、ＡＥ、ＡＦ、ＡＷＢについては、全体制御部２１１の制御の下で実施し、その機能については簡単に上述したとおりで、動作については一般的なデジタルカメラと同様な動作となるため、ここでは、説明を省略する。
【０１２７】
ステップＳ３３では、シャッターボタン９が押し込まれてＳ２状態となったか否かについて全体制御部２１１が判断を行う。具体的には、Ｓ２状態となったと判断するとステップＳ３４へ進み、Ｓ２状態となっていないと判断するとステップＳ３１へ戻る。
【０１２８】
ステップＳ３４では、全体制御部２１１が１回目の撮影動作を開始することを意味するカウント行い、ステップＳ３５へ進む。なお、このカウントによって得られた情報は、後述するステップＳ６５において予め設定された撮影枚数に達しているか否かを判断する際に使用される。
【０１２９】
ステップＳ３５では、被写体の撮像を行う。つまり、ＣＣＤ３０３が、撮影レンズ３０により結像された被写体の光像を画像信号として出力することにより、１２８０×９６０画素数の画像信号を取得し、ステップＳ３６へ進む。
【０１３０】
ステップＳ３６では、インターバル撮影の撮影間隔を調節するためのタイマーをスタートし、ステップＳ３７へ進む。具体的には、撮像を行ったことを示す信号を全体制御部２１１がリアルタイムクロック２６０に送信することによって、リアルタイムクロック内で撮影間隔を調節するためのタイマーをスタートさせる。
【０１３１】
ステップＳ３７では、ステップＳ３５において取得した画像信号に対してフィルタ処理、各種補正（補間）、画像サイズ変換等の画像処理を実施する。具体的には、信号処理回路３１３において、ステップＳ３５において取得した画像信号（アナログ信号）に対してＣＤＳ回路によるノイズ低減処理、ＡＧＣ回路でゲインを調整することにより画像信号のレベル調整を行なう。その後、Ａ／Ｄ変換器２０５においてデジタル信号に変換し、ＷＢ回路２０７においてＲ，Ｇ，Ｂの各色成分の画素データのレベルを変換し、γ補正回路２０８において画素データの階調を補正し、色変換・色補正回路２３１において色補正を行う。そして、解像度変換部２３２において必要に応じて画像サイズの変換を行い、ステップＳ３８へ進む。
【０１３２】
ステップＳ３８では、ステップＳ３７で得られた画像データに基づいて全体制御部２１１においてサムネイル画像を生成し、背面ＬＣＤ１０にアフタービューを表示し、ステップＳ８へ進む。なお、ここでは、アフタービューを表示するように設定されている場合を例に挙げて説明しているが、これに限られるものではなく、アフタービュー表示をしないように設定され、ステップＳ３８においてアフタービューを表示しないようにしたものであっても良い。
【０１３３】
ステップＳ３９では、ステップＳ３７で得られた画像データに対して圧縮・伸張部２３６で圧縮処理を行い、ステップＳ４０へ進む。
【０１３４】
ステップＳ４０では、ステップＳ３８およびステップＳ３９で得られたサムネイル画像および圧縮処理された静止画像を画像メモリ２０９に一時的に記憶し、ステップＳ４１へ進む。
【０１３５】
ステップＳ４１では、ステップＳ４０において画像メモリ２０９に一時的に記憶したサムネイル画像および静止画像から全体制御部２１１の制御の下で、１個目の静止画ファイルを生成してメモリカード８に記録して、ステップＳ４２へ進む。
【０１３６】
ステップＳ４２では、全体制御部２１１の制御のもとで解像度変換部２３２において画像メモリ２０９に一時的に記憶されている静止画データ（画素数１２８０×９６０）の解像度を一旦画素数６４０×４８０に下げ、全体制御部２１１で解像度を下げた静止画データに基づいて動画データ（画素数６４０×４８０）を生成し、動画ファイルとしてメモリカード８に記録し、ステップＳ４３へ進む。ここでは、１コマの静止画像から１フレームの動画データを生成する。なお、ステップＳ４２においては、一連のインターバル撮影では１コマしか静止画像を得ていない状況なので、ステップＳ４２において生成される動画ファイルは１フレームの動画データのみから構成される。
【０１３７】
ステップＳ４３では、画像メモリ２０９内のすべての画像データを削除し、ステップＳ４４へ進む。つまり、次の撮影の準備のために画像メモリ２０９内に十分な空き容量をつくるために、画像メモリ２０９内のすべての画像データを削除する。
【０１３８】
ステップＳ４４では、メモリカード８内に、次の撮影によって得られる静止画像に基づいて生成される静止画ファイルおよび動画ファイルを記録するための残容量が足りないか否かを判断する。具体的には、メモリカード内８の残容量を全体制御部２１１が読み出し、次の撮影で得られる静止画像とサムネイル画像と動画像の解像度は、撮影前に設定されているため、その解像度から全体制御部２１１が次の撮影で得られる静止画像に基づいて生成される静止画ファイルおよび動画ファイルの容量を算出して、メモリカード内８の残容量と、算出した静止画ファイルおよび動画ファイルの容量とから、メモリカード８内に、次の撮影によって得られる静止画像に基づいて生成される静止画ファイルおよび動画ファイルを記録するための残容量が足りないか否かを判断する。そして、ここでは、残容量が足りないと判断するとインターバル撮影を終了し、残容量が足りていると判断すると図２０のステップＳ５１へ進む。
【０１３９】
ステップＳ５１では、全体制御部２１１が一連のインターバル撮影においてＮ回目の撮影動作を開始することを意味するカウントを行い、ステップＳ５２へ進む。具体的には、ステップＳ５１の処理を初めて行う際には、前回のカウントがステップＳ３４においてされたＮ＝１であるため、ステップＳ５１では、これに１を加算したＮ＝２回目の撮影動作を開始することを意味するカウントを行う。また、前回のカウントがＮ回目であったとすると、ステップＳ５１では、これに１を加算したＮ＋１回目の撮影動作を開始することを意味するカウントを行う。
【０１４０】
ステップＳ５２では、全体制御部２１１および電力制御部２８１の制御の下、デジタルカメラ１の各機能のうちリアルタイムクロック２６０を除くほとんどの機能に対する電力の供給を停止した状態となる省電力モードとし、ステップＳ５３へ進む。
【０１４１】
ステップＳ５３では、一連のインターバル撮影における次回の撮影動作の準備を開始するための設定時間ｊを経過しているか否かの判断を行う。具体的には、ステップＳ３６においてリアルタイムクロック２６０内で次回の撮影動作の準備を開始するための設定時間ｊまでのカウントダウンを行うタイマーがスタートし、設定時間ｊを経過するとリアルタイムクロック２６０が電力制御部２８１に対して信号を送って、ステップＳ５４へ進み、設定時間ｊを経過するまではステップＳ５３の判断を繰り返す。したがって、ここでは、設定時間ｊが経過したか否かの判断は、リアルタイムクロック２６０のタイマー機能が判断していることとなる。
【０１４２】
ステップＳ５４では、ステップＳ５３において、設定時間ｊを経過すると送られてくるリアルタイムクロック２６０からの信号を電力制御部２８１が受けて、デジタルカメラ１全体の各部に電力の供給を再開してデジタルカメラ１は省電力モードから復帰し、ステップＳ５５へ進む。
【０１４３】
ステップＳ５５では、Ｎ回目の撮影を実施するため、次の撮像の準備のために、ステップＳ３２と同様にＡＥ、ＡＦ、ＡＷＢを実施し、ステップＳ５６へ進む。
【０１４４】
ステップＳ５６では、Ｎ回目の被写体の撮像を行い、ステップＳ５７へ進む。具体的な動作についてはステップＳ３５と同様となる。
【０１４５】
ステップＳ５７では、インターバル撮影の撮影間隔を調節するためのタイマーをスタートし、ステップＳ５８へ進む。具体的な動作は、ステップＳ３６と同様であり、リアルタイムクロック２６０内で次回の撮影動作までの撮影間隔を調節するためのタイマーをスタートさせる。
【０１４６】
ステップＳ５８では、ステップＳ５６において取得した画像信号に対してフィルタ処理、各種補正（補間）、画像サイズ変換等の画像処理を実施して、ステップＳ５９へ進む。ここでの具体的な動作は、ステップＳ３７と同様となる。
【０１４７】
ステップＳ５９では、ステップＳ５６で得られた画像データに基づいて全体制御部２１１においてサムネイル画像を生成し、背面ＬＣＤ１０にアフタービューを表示し、ステップＳ６０へ進む。なお、ここでも、ステップＳ３８と同様にアフタービュー表示をしないように設定され、ステップＳ３８においてアフタービューを表示しないようにしたものであっても良い。
【０１４８】
ステップＳ６０では、ステップＳ５６で得られた画像データに対して圧縮・伸張部２３６で圧縮処理を行い、ステップＳ６１へ進む。
【０１４９】
ステップＳ６１では、ステップＳ５９およびステップＳ６０で得られたサムネイル画像および圧縮処理された静止画像を画像メモリ２０９に一時的に記憶し、ステップＳ６２へ進む。
【０１５０】
ステップＳ６２では、ステップＳ６１において画像メモリ２０９に一時的に記憶したサムネイル画像および静止画像から全体制御部２１１の制御の下で、Ｎ個目の静止画ファイルを生成してメモリカード８に記録する。
【０１５１】
ステップＳ６３では、ステップＳ４２と同様に画像メモリ２０９に一時的に記憶されている静止画像データ（画素数１２８０×９６０）から動画データ（画素数６４０×４８０）を生成して、全体制御部２１１の制御のもとで、これまでの一連のインターバル撮影によって得られている動画ファイル１に、ここで新たに生成した動画データを追加して動画ファイル１を更新し、図２１のステップＳ６４へ進む。つまり、ここでは、予め設定されたタイミングで複数回撮影する連続撮影によって静止画像を取得し、取得された静止画像に基づいて静止画ファイルおよび動画ファイルを生成し、連続した撮影中に新規な静止画ファイルを生成した後に、新規な静止画像に基づいて動画ファイルを更新する。
【０１５２】
図２２は、動画ファイルを更新する際のメモリカード８内に記録されている画像ファイルについて説明するための模式図である。図２２（ａ）は、一連のインターバル撮影においてＮ回の撮影によってＮ個の静止画ファイルと、静止画ファイル１〜静止画ファイルＮ内の静止画像に基づいて生成された動画データである画像データ１〜画像データＮから構成される動画ファイル１が記録されている様子を示している。そして、ここで、新たにＮ＋１回目の撮影が行われると図２２（ｂ）に示すように、メモリカード８には静止画ファイルＮ＋１が新たに追加記録され、Ｎ＋１回目の撮影によって得られた静止画データから動画データである画像データＮ＋１を生成して動画ファイル１に追加し、メモリカード８内の動画ファイル１を更新記録する。
【０１５３】
また、ステップＳ４２およびステップＳ６３の動画ファイルの生成および更新処理といった動画ファイルの生成に関する処理は、インターバル撮影の画像を取得するタイミングを避けて行うように、全体制御部２１１によって制御されている。
【０１５４】
ステップＳ６４では、画像メモリ２０９内のすべての画像データを削除し、ステップＳ６５へ進む。ここでは、ステップＳ４３と同様に、次の撮影の準備のために画像メモリ２０９内に十分な空き容量をつくるために、画像メモリ２０９内のすべての画像データを削除する。
【０１５５】
ステップＳ６５では、次回の撮影があるか否かについて全体制御部２１１が判断を行う。ここでは、インターバル撮影前に図１８の撮影数設定画面においてユーザーによって設定された撮影枚数と、ステップＳ５１においてカウントされた撮影回数とが同じ値になっていれば、次回の撮影はないため、ステップＳ６７へ進み、設定された撮影枚数と、ステップＳ５１においてカウントされた撮影回数とが同じ値になっていなければ、次回の撮影があるため、ステップＳ６６へ進む。
【０１５６】
ステップＳ６６では、ステップＳ４４と同様に、メモリカード８内に、次回の撮影によって得られる静止画ファイルおよび動画ファイルを記録するための残容量が足りないか否かを判断し、メモリカード８内の残容量が足りないと判断するとステップＳ６７へ進み、残容量が足りていると判断するとステップＳ５１へ戻る。
【０１５７】
ステップＳ６７では、インターバル撮影を終了する旨の終了表示が背面ＬＣＤ１０に表示されてインターバル撮影を終了する。そして、インターバル撮影が終了すると、全体制御部２１１および電力制御部２８１の制御の下、デジタルカメラ１の各部への電力の供給が停止し、デジタルカメラ１は電源オフ状態となる。
【０１５８】
以上、本発明にかかるデジタルカメラ１においては、インターバル撮影における所定のタイミングで複数回撮影する連続撮影中に、新規な静止画像を取得するごとに、新規な静止画像に基づいて動画ファイルを更新記録するような構成とすることによって、インターバル撮影中に連続した撮影を中断しても、撮影を中断した時点まで撮影した静止画像に基づいた動画ファイルが記録されているため、連続撮影中断後に、改めて動画ファイルを生成する必要性がなく、すぐに次の撮影等を行うことができる。
【０１５９】
また、連続撮影期間において、静止画ファイルおよび動画ファイルを生成し、連続撮影における画像を取得するタイミングを避けて、画像を取得するタイミングの合間に、動画ファイルの生成および更新といった動画ファイル生成に関する処理を行うことによって、画像を取得するタイミング以外の時間を有効利用して動画ファイルに関するデータ処理を行うため、動画ファイルに関するデータ処理が連続撮影および新規撮影における画像の取得を妨げず、撮影したいタイミングで撮影を実施することができる。
【０１６０】
したがって、静止画像と動画とを同時に取得することによって発生する種々の弊害を取り除くことができる。
【０１６１】
＜変形例＞
以上、この発明の実施形態について説明したが、この発明は上記説明した内容のものに限定されるものではない。
【０１６２】
例えば、以上に示した実施形態では、図８に示したように、動画ファイルに音声データを含まないが、これに限られるものではなく、動画ファイルに音声データを含むようなものであっても良い。図２３は、動画ファイルに音声データを含む場合の動画ファイル内の記録内容を説明する図であり、例えば、図示するように１つの動画ファイル１は、静止画ファイル１〜静止画ファイル９９に係る静止画像から生成されて、画像データ１〜画像データ９９の９９フレームの画像データから構成され、また、それぞれの画像データに対する音声データが記録されて、フレーム１は音声データ１と画像データ１、フレーム２は音声データ２と画像データ２、・・・、フレーム９９は音声データ９９と画像データ９９とから構成されるといったようにしたものでも良い。
【０１６３】
また、以上に示した実施形態では、静止画ファイルに付加される付加情報が音声情報であったが、これに限られるものではなく、文字情報や画像情報などを付加情報として付加するものであっても良い。
【０１６４】
また、以上に示した実施形態では、静止画ファイルにのみ付加情報を付加していたが、これに限られるものではなく動画ファイルに文字情報や画像情報などを付加情報として付加するものであっても良い。このように、動画ファイルにユーザーの入力による付加情報を付加するような構成とすることによって、付加情報の付加によって生成後の動画ファイルの内容を容易に把握可能な状態とすることができる。さらに、静止画ファイルおよび動画ファイルの双方に付加情報を付加しても良い。
【０１６５】
また、以上に示した実施形態では、静止画ファイルおよび動画ファイルがメモリカード８内に直接記録されていたが、これに限られるものではなく、当該デジタルカメラ１の電源を入れ直して撮影動作を開始するごとに、メモリカード８内に新規なフォルダを生成し、そのフォルダ内に静止画ファイルおよび動画ファイルを記録するようなものであっても良い。
【０１６６】
また、以上に示した実施形態では、連写撮影後に一時的に画像メモリ２０９に記憶された画像データを削除する際には、すべての画像データを削除していたが、これに限られるものではなく、画像メモリ２０９内に一時的に記憶されている画像データを１コマずつ削除するようなものであっても良い。
【０１６７】
また、以上に示した実施形態では、連続撮影後に画像メモリ２０９に一時的に画像データを記憶していたが、これに限られるものではなく、メモリカード８などの記録媒体に一時的に記録するようなものであっても良い。
【０１６８】
また、以上に示した実施形態では、一連の連写撮影後に、メモリカード８内の残容量を算出して表示していたが、これに限られるものではなく、一連の連写撮影の途中で、複数の撮影毎に、メモリカード８内の残容量を算出して表示するようなものであっても良い。
【０１６９】
また、以上に示した実施形態では、インターバル撮影の画像取得タイミングの合間で、動画ファイルの生成および更新を行っているが、これに限られるものではなく、インターバル撮影における全ての画像取得が終わった後で、インターバル撮影期間内（例えば、電源オフとなる前）に動画ファイルの生成や更新を行うようなものであっても良い。
【０１７０】
なお、上述した具体的実施形態には以下の構成を有する発明が含まれている。
【０１７１】
（１）  請求項１に記載のデジタルカメラにおいて、前記表示制御手段が、複数の静止画像の取得後に前記の表示制御を行うことを特徴とするデジタルカメラ。
【０１７２】
（１）の発明によれば、生成すべき静止画ファイルと動画ファイルの容量分も考慮した記録媒体の残容量の算出の回数を減じることによって、算出に要する負担を低減することができるため、その分だけ撮影に要する処理能力を向上させることができ、連写速度の向上を図ることができる。また、表示を短時間の間に激しく変化させることがないため、表示を見やすくすることができる。
【０１７３】
（２）  請求項２に記載のデジタルカメラにおいて、前記編集手段による編集内容が前記静止画像の組に含まれる少なくとも一つの静止画像の削除指示である場合には、前記ファイル生成手段は、前記削除指示された静止画像に基づいて前記静止画ファイルと前記動画ファイルとのいずれをも生成しないことを特徴とするデジタルカメラ。
【０１７４】
（２）の発明によれば、静止画ファイルおよび動画ファイルのいずれも生成しないことを同時に選択できるため、操作効率を向上させることができる。
【０１７５】
（３）  請求項２に記載のデジタルカメラにおいて、前記編集手段による編集内容が撮影後の音声情報の付加である場合には、前記ファイル生成手段は、前記音声情報を前記静止画ファイルにのみ関連づけることを特徴とするデジタルカメラ。
【０１７６】
（３）の発明によれば、付加情報としての音声情報を静止画ファイルにのみ付加することによって、動画ファイルに、付加情報としての音声情報が付加されることにより生じる、あたかも動画像に同期して記録された音声データと錯覚してしまうというユーザーの予期せぬ混乱を防止することができる。
【０１７７】
（４）  連続撮影した第１の静止画像の組に基づいて動画ファイルを生成可能なデジタルカメラにおいて、前記第１の静止画像の組の解像度を下げることにより、第２の静止画像の組を生成可能な解像度変換手段と、前記第１の静止画像の組に基づいて静止画ファイルを生成するとともに、前記第２の静止画像の組に基づいて動画ファイルを生成可能なファイル生成手段と、前記静止画ファイルと前記動画ファイルとを記録媒体に記録させる手段と、を備えることを特徴とするデジタルカメラ。
【０１７８】
（４）の発明によれば、連続撮影した静止画像（第１の静止画像の組）の解像度を下げた第２の静止画像の組から動画ファイルを生成して記録させることによって、動画ファイルの生成時および記録後の再生時の処理に要する負荷を低減することができるため、処理時間の短縮を図ることができる。
【０１７９】
（５）  請求項４に記載のデジタルカメラにおいて、前記連続撮影の各撮影間の時間間隔が、前記ファイル更新手段において前記新規な静止画像に基づいて前記動画ファイルを更新するために要する時間よりも長いことを特徴とするデジタルカメラ。
【０１８０】
（５）の発明によれば、連続撮影中に、取得した新規な静止画像に基づいて動画ファイルを更新するために要する時間よりも、各静止画像を取得する時間間隔の方が長くなるようにすることによって、動画ファイルを更新するための処理が、連続撮影の撮影動作を妨げないようにすることができるため、連続撮影前に予め設定された時間間隔で正確に連続撮影することができる。
【０１８１】
【発明の効果】
以上説明したように、請求項１の発明によれば、静止画像を撮影した後であって、動画ファイルを生成する前に、生成すべき静止画ファイルおよび動画ファイルの容量分も考慮して、記録媒体の残容量に基づいた表示をするため、ユーザーは、記録限界を正確に把握することができる。
【０１８３】
また、請求項３の発明によれば、撮影モード下で表示される撮影結果として静止画像を表示することによって、動画像を生成する前に撮影結果を素早く確認することができる。したがって、必要な動画ファイルのみを生成することができる。
【０１８４】
また、請求項４の発明によれば、連続撮影中に、新規な静止画像を取得するごとに、新規な静止画像に基づいて動画ファイルを更新記録することによって、連続撮影の途中で撮影を中断しても、撮影を中断した時点まで撮影した静止画像に基づいた動画ファイルが記録されているため、連続撮影中断後に、改めて動画ファイルを生成する必要性がなく、すぐに次の撮影等の動作を行うことができる。
【０１８５】
また、請求項５の発明によれば、連続撮影期間において、静止画ファイルおよび動画ファイルを生成し、連続撮影における画像取得タイミングを避けて、動画ファイル生成に関する処理を行うことによって、画像を取得するタイミング以外の時間を有効利用して動画ファイルに関するデータ処理を行うため、動画ファイルに関するデータ処理が連続撮影および新規撮影における画像の取得を妨げず、撮影したいタイミングで撮影を実施することができる。
【図面の簡単な説明】
【図１】本発明の実施形態に係るデジタルカメラの要部構成を示す正面図である。
【図２】図１に示すデジタルカメラの要部構成を示す上面図である。
【図３】図１に示すデジタルカメラの要部構成を示す背面図である。
【図４】本発明の実施形態に係るデジタルカメラの機能ブロック図である。
【図５】静止画ファイル名および動画ファイル名について説明する図である。
【図６】静止画ファイル名および動画ファイル名について説明する図である。
【図７】静止画ファイル内の記録内容を説明する図である。
【図８】動画ファイル内の記録内容を説明する図である。
【図９】音声ファイルと撮影結果との関連づけについて示した模式図である。
【図１０】動画設定画面を示す模式図である。
【図１１】アフタービュー設定画面を示す模式図である。
【図１２】連写撮影の動作を示すフローチャートである。
【図１３】連写撮影の動作を示すフローチャートである。
【図１４】連写撮影の動作を示すフローチャートである。
【図１５】連写撮影中のメモリカードの残容量に基づいた表示を示した図である。
【図１６】画像データを削除するか否かを選択指示する画面を示す図である。
【図１７】画像ファイルの生成とメモリカードへの記録を説明する図である。
【図１８】インターバル撮影の撮影タイミングと撮影枚数を設定する設定画面を示す図である。
【図１９】インターバル撮影の動作を示すフローチャートである。
【図２０】インターバル撮影の動作を示すフローチャートである。
【図２１】インターバル撮影の動作を示すフローチャートである。
【図２２】動画ファイルの更新について説明するための模式図である。
【図２３】動画ファイルに音声データを含む場合を説明するための図である。
【符号の説明】
１  デジタルカメラ
３  撮像部
８  メモリカード
１０  背面ＬＣＤ
２０  ＥＶＦ
３５  コントロールボタン
３６  データパネル
３８  クイックビューボタン
２０９  画像メモリ
２１１  全体制御部
２３２  解像度変換部
２３６  圧縮・伸張部
２６０  リアルタイムクロック
２８１  電力制御部
Ｍ  マイク
【図１】
0003621684.tif 000002
【図２】
0003621684.tif 000003
【図３】
0003621684.tif 000004
【図４】
0003621684.tif 000005
【図５】
0003621684.tif 000006
【図６】
0003621684.tif 000007
【図７】
0003621684.tif 000008
【図８】
0003621684.tif 000009
【図９】
0003621684.tif 000010
【図１０】
0003621684.tif 000011
【図１１】
0003621684.tif 000012
【図１２】
0003621684.tif 000013
【図１３】
0003621684.tif 000014
【図１４】
0003621684.tif 000015
【図１５】
0003621684.tif 000016
【図１６】
0003621684.tif 000017
【図１７】
0003621684.tif 000018
【図１８】
0003621684.tif 000019
【図１９】
0003621684.tif 000020
【図２０】
0003621684.tif 000021
【図２１】
0003621684.tif 000022
【図２２】
0003621684.tif 000023
【図２３】
0003621684.tif 000024